(57)【要約】【課題】端子や電線間のピッチを調整することにより、効果的に防水処理を行うことが可能な防水コネクタを提供すること。【解決手段】アウタハウジング１の端子収納室内の特定の箇所に各端子８ａを固定し電線８を電線押さえ９により押さえられた状態で入口部分を通す。これらの各電線８をワイヤシール４にホルダ６ａから導入させてシール部材５を介してホルダ６ｂから後方側に導出させる。ワイヤシール４をアウタハウジング１のワイヤシール嵌合部２ｂに嵌め込んで防水コネクタ１０を組み立てる。このとき、ワイヤシール４の後方側から導出される各電線８は、隣接する電線８間のピッチが広がる、または、位置が変位することによって等間隔の調整用のピッチとなるため、シール部材５の部材が介入するための間隔が確保され防水処理を効果的に行うことが可能となる。【選択図】図１
2007324082.tif 000002
【特許請求の範囲】
【請求項１】
電線が取り付けられた複数の電線付端子を第一のピッチで収納する複数の端子収納室を備えた端子収納部と、
前記電線を外部へ導出する導出部を有すると共に、前記複数の電線付端子から伸びる複数本の電線を挿通するシール部材を前記端子収納部と前記導出部の間に備え、前記第一のピッチを第二のピッチに調整するピッチ調整部を前記端子収納室と前記シール部材の間に備えたことを特徴とする防水コネクタ。
【請求項２】
請求項１に記載の防水コネクタにおいて、
前記ピッチ調整部は、
前記調整する電線のピッチを、互いに隣接する２組の電線付端子のピッチのうち最も狭いピッチよりも大きいピッチに調整することを特徴とする防水コネクタ。
【請求項３】
請求項１または２に記載の防水コネクタにおいて、
前記ピッチ調整部は、複数のピッチ調整板が互いに積層されて構成されていることを特徴とする防水コネクタ。
【請求項４】
請求項１乃至３に記載の防水コネクタにおいて、
前記ピッチ調整板は、複数の防水部材と一体に形成されていることを特徴とする防水コネクタ。
【請求項５】
請求項１乃至４に記載の防水コネクタにおいて、
前記端子収納部は、前記端子収納室を複数並列に備えたインナプレートが複数積層されて形成されるインナハウジングと、前記インナハウジングを収納するアウタハウジングからなり、前記インナプレートの後方下端部には下段の端子収納室に収納された電線付端子に取り付けられた電線の変位量を所定量に制限する変位制限部を備えたことを特徴とする防水コネクタ。
【請求項６】
請求項１乃至５に記載の防水コネクタにおいて、
前記ピッチ調整部を収納する箇所が前記端子収納部に対し外側に膨出しているとともに、前記膨出部の前端が相手側ハウジングとの間をシールする防水パッキンの後端と当接することを特徴とする防水コネクタ。
【発明の詳細な説明】
【技術分野】
【０００１】
本発明は、電子回路を接続するための電線が取り付けられた端子を収納する端子収納室を有する収納部と端子に取り付けられて収納部から導出された各電線に対して防水処理を行う電線防水部とを備えた防水コネクタに関する。
【背景技術】
【０００２】
従来より、電子回路を接続するための電線が取り付けられた端子を収納する収納部と端子に取り付けられて収納部から導出された各電線に対して防水処理を行う電線防水部とを備えた防水コネクタにおいては、収納部の内部に水が入り込むことを防止するための構造として、以下の特許文献１に記載された発明が提案されている。
【０００３】
図９は、この特許文献１に記載された発明の構成を示す説明図である。この特許文献１に記載された防水コネクタ１では、箱状の電気接触部１０５を有する雌型端子１０４がハウジング１０２の端子収納室１０３内に装着され、複数の電線シール用の挿通孔１０７が有るマットシール１０６が端子収容室１０３後端に装着される。マットシール１０６は、ハウジング１０２と共にマットシールカバー１１３によって挟持されることで端子収容室１０３後端に保持される。
【特許文献１】特開２０００−２０８２００号公報
【発明の開示】
【発明が解決しようとする課題】
【０００４】
しかしながら、このような特許文献１に記載された発明では、複数の雌型端子１０４間の間隔を示すピッチが所定量以下の場合には、これらの雌型端子１０４から引き出される電線間のピッチも小さくなり、電線間にマットシール１０６を十分に介入させることができず、効果的に防水処理を行えずにシール性が低下するという問題があった。
【０００５】
すなわち、端子より引き出される電線を効果的に防水処理を行うためには、マットシール等の防水部材でシールするために必要とされる厚みやスペースを端子や電線間で確保しなければならないが、電線は端子より直線的に引き出されており、即ち電線のピッチは端子のピッチに依存していた為、端子間のピッチを狭くするには限界があり、また各端子や電線間のピッチが不揃いで、広い箇所や狭い箇所が存在しばらつきがある場合には、すべての端子や電線間の箇所で均等かつ効果的に防水処理を行うことは困難であった。よって小型化を図りつつ収容する端子の多種化に柔軟に対応でき、且つ防水性を十分に発揮する防水コネクタが望まれていた。
【０００６】
本発明は、以上の問題点に鑑みてなされたものであり、その目的とするところは、端子のピッチに基づく電線間のピッチを調整することにより、効果的に防水処理を行うことが可能な防水コネクタを提供することにある。
【課題を解決するための手段】
【０００７】
上記目的を達成するために、請求項１に係る発明は、電線が取り付けられた複数の電線付端子を第一のピッチで収納する複数の端子収納室を備えた端子収納部と、前記電線を外部へ導出する導出部を有すると共に、前記複数の電線付端子から伸びる複数本の電線を挿通するシール部材を前記端子収納部と前記導出部の間に備え、前記第一のピッチを第二のピッチに調整するピッチ調整部を前記端子収納室と前記シール部材の間に備えたことを特徴とする。
【０００８】
また、請求項２に係る発明は、請求項１に記載の防水コネクタにおいて、前記ピッチ調整部は、前記調整する電線のピッチを、互いに隣接する２組の電線付端子のピッチのうち最も狭いピッチよりも大きいピッチに調整することを特徴とする。
【０００９】
請求項３に係る発明は、請求項１または２に記載の防水コネクタにおいて、前記ピッチ調整部は、複数のピッチ調整板が互いに積層されて構成されていることを特徴とする。
【００１０】
請求項４に係る発明は、請求項１乃至３に記載の防水コネクタにおいて、前記ピッチ調整板は、複数の防水部材と一体に形成されていることを特徴とする。
【００１１】
請求項５に係る発明は、請求項１乃至４に記載の防水コネクタにおいて、前記端子収納部は、前記端子収納室を複数並列に備えたインナプレートが複数積層されて形成されるインナハウジングと、前記インナハウジングを収納するアウタハウジングからなり、前記インナプレートの後方下端部には下段の端子収納室に収納された電線付端子に取り付けられた電線の変位量を所定量に制限する変位制限部を備えたことを特徴とする。
【００１２】
請求項６に係る発明は、請求項１乃至５に記載の防水コネクタにおいて、前記ピッチ調整部を収納する箇所が前記端子収納部に対し外側に膨出しているとともに、前記膨出部の前端が相手側ハウジングとの間をシールする防水パッキンの後端と当接することを特徴とする。
【発明の効果】
【００１３】
本発明に係る防水コネクタによれば、端子や電線間のピッチを調整することにより、効果的に防水処理を行うことが可能となる。
【００１４】
請求項１に記載の防水コネクタによれば、第一のピッチで収納された端子より引き出された電線を、ピッチ調整部によって第二のピッチに調整するので、防水処理を行うためのシール部材を介入させるために必要な間隔を確保することができ、ピッチ調整部により調整されたピッチで電線に対する防水処理を効果的に行うことが可能となる。
【００１５】
請求項２に記載の防水コネクタによれば、ピッチ調整部が調整する電線のピッチを、互いに隣接する２組の電線付端子のピッチのうち、最も狭いピッチよりも大きいピッチに調整するので、防水処理を行うためのシール部材を介在させるための間隔を確保することができ、ピッチ調整部により拡大されたピッチで電線に対する防水処理を効果的に行うことが可能となる。
【００１６】
請求項３に記載の防水コネクタによれば、ピッチ調整部が複数のピッチ調整板が互いに積層されて構成されているので、端子収納部に収納される端子のサイズに応じてそれに適したピッチ調整板を組み合わせることによってピッチ調整部を容易に構成することができる。
【００１７】
請求項４に記載の防水コネクタによれば、ピッチ調整板が、防水部材と一体に形成されてワイヤシール部となっているのでピッチ調整部及び防水部材の管理が容易であり、且つ調整されたピッチと防水部材のシールピッチがずれることを防止できる。
【００１８】
請求項５に記載の防水コネクタによれば、インナプレートの後方下端部に下段の端子収納室に収納された電線付端子のインナハウジングからの電線引出の変位量を所定量に制限する変位制限部を備えたので、ピッチ調整部により調整されたピッチで電線に対する防水処理を効果的に行うことが可能となる。
【００１９】
請求項６に記載の防水コネクタによれば、ピッチ調整部を収納する箇所が端子収納部に対し外側に膨出しているとともに、膨出部の前端が相手側ハウジングとの間をシールする防水パッキンの後端に当接するため、防水パッキンの固定部を別途設ける必要がなく、また作業者にとって把持しやすい形状となる為、作業性が向上する。
【発明を実施するための最良の形態】
【００２０】
以下、本発明に係る防水コネクタを実施するための最良の形態について、図面を用いて詳細に説明する。図１及び図７は、本実施の形態における防水コネクタの構成を示す説明図である。この防水コネクタ１０は、複数個の端子８ａを収納する端子収納室を有する端子収納部２ａおよび後述するワイヤシール４が嵌め合わされるワイヤシール嵌合部２ｂが形成されたアウタハウジング１と、各端子８ａに取り付けられて前記端子収納部２ａからワイヤシール嵌合部２ｂに導出した複数本の電線８が挿通する第１および第２の挿通部６ａ１、６ｂ１が形成されこれらの挿通部６ａ１、６ｂ１のうち挿通部６ａ１を挿通する互いに隣接する電線８間のピッチを等間隔のピッチに調整すると共にこの調整されたピッチで電線８に対する防水処理を行うワイヤシール４とを備えている。ワイヤシール４は、複数本の電線８が挿通する第１および第２の挿通部６ａ１、６ｂ１が形成されたホルダ６ａ、６ｂと、これらのホルダ６ａ、６ｂのうちホルダ６ａの挿通部６ａ１を挿通す電線８に対する防水処理を行うシール部材５とを備えている。
【００２１】
図２はアウタハウジング１の構成を示す説明図、図８は端子収納部２ａの構成を示す説明図である。アウタハウジング１は、例えば絶縁性の合成樹脂等で構成され、相手側コネクタとの接続方向後側の端部が開口された箱型形状の部材から成る端子収納部２ａと、筒状部材から成るワイヤシール嵌合部２ｂとが接続されて構成されている。
【００２２】
前記アウタハウジング１に形成された端子収納部２ａに収納されるインナハウジング２ａ１は、図８に示すように、複数本の電線８のそれぞれが取り付けられた各端子８ａを、仕切り壁によりそれぞれの端子８ａ毎に仕切られた端子収納室が並列に設けられたインナプレート７を複数段積層して形成され、前記アウタハウジング1の片側端部、即ち、相手側コネクタとの接続方向前側の端部は、各端子８ａに対応する箇所に相手側コネクタの端子を接続するために通す複数の接続孔１ａが開けられた壁面１１により塞がれている。
【００２３】
インナプレート７に収納された各端子８ａは、被覆電線８の芯線部分を相手側コネクタの端子と電気的に接触させるために用いられる部品であり、金属等の導電性材料から成り、相手側端子と接続される接続部と、前記被覆電線８の先端に露出された芯線部分を圧着接続する圧着部と、前記被覆電線８を加締め固定する電線加締部とから構成された接続端子である。
【００２４】
また、インナプレート７の相手側コネクタとの接続方向後側の端部には、図２に示す如く各端子８ａに取り付けられた電線８の位置の変位量を所定量に制限するための電線押さえ９が設けられている。
【００２５】
この電線押さえ９は、複数段に積層されたインナプレート７のうち、上側に隣接するインナプレート７の端部下面から下方に突出した突出部である。この電線押さえ９が下方に突出することにより、隣接するプレート７間の電線８が通るための開口範囲が電線８の太さ程度に制限されている。各端子８ａに取り付けられた電線８が、後述するようにワイヤシール４によりピッチが調整された際に、屈曲すること等があってもこの突出部９２により押さえられて電線８のプレート７の内側底面上の位置からの周囲方向への変位量が所定量に制限されるようになっている。
【００２６】
なお、アウタハウジング１の端子収納室には、電線８が取り付けられた各端子８ａのうち、少なくとも互いに隣接する２組の端子８ａ間のピッチが異なるように第一のピッチに該当するピッチで端子収納室に固定されて収納されている。前記端子収納室の相手側コネクタとの接続方向後側の後部にはワイヤシール４を構成するホルダ６ａ、６ｂ及びシール部材５を嵌め込んで一体的に構成するためのワイヤシール嵌合部２ｂが設けられている。
【００２７】
このワイヤシール嵌合部２ｂは、前記端子収納室の相手側コネクタとの接続方向後側の後部から連続して外周面が外側方向に膨出した筒状部材であり、この筒状部材の内側上面および下面には、後述する係合部４１と係合するための凹部である係合孔１２が設けられている。また、アウタハウジング１の外周面上のうち、前記端子収納室の後部から連続して外側方向に膨出したワイヤシール嵌合部２ｂの外周面前端部分には、アウタハウジング１が相手側コネクタに嵌め込まれて接続された際に、この相手側コネクタのフードの内側に密着されてアウタハウジング１の外周面と相手側コネクタのフードの内面との間を水密に保つためのパッキン１３が取り付けられている。
【００２８】
図３は、ワイヤシール４の構成を示す説明図である。ワイヤシール４は、図３、図８に示すように、各端子８ａに取り付けられて前記インナハウジング２ａ１から導出された各電線８間のピッチを所定量に調整して後方側の外部に導出するホルダ６ａ、６ｂと、ホルダ６ａおよびホルダ６ｂの間に設けられた各電線８に対して防水処理を行うシール部材５とを備えている。そして、これらのホルダ６ａ、シール部材５、ホルダ６ｂは、この順番で一体のワイヤシール４を構成し、ワイヤシール嵌合部２に嵌め込まれるようになっている。
【００２９】
ピッチ調整部であるホルダ６ａは、例えば絶縁性の合成樹脂等で構成され、前記インナハウジング２ａ１から導出された各電線８を通すための水平方向に幅広に開口された第１の挿通部６ａ１が、端子８ａに取り付けられた各電線８に対応して複数段に分けて配列されて設けられており、各電線８はこれらのホルダ６ａの各挿通部６ａ１を挿通することにより、インナハウジングの端子収納室の端子８ａ毎に異なるピッチの位置から第二の所定のピッチで等間隔の位置に変位するようになっている。挿通部６ａ１が配置される所定のピッチとしては、たとえば３〜４ｍｍ等のシール部材５により防水処理を行うための必要最小限以上の調整用の間隔や、少なくともインナハウジング２ａ１に収納された２組の端子８ａ間のピッチのうち最も狭いピッチよりも大きいピッチに配置されるようになっている。ホルダ６ａは、シール部材５、ホルダ６ｂを介して、防水コネクタ１０の後方側に各電線８を導出していくようになっている。なお、アウタハウジング１の端子収納室の端子８ａ毎に異なるピッチの位置を、たとえば３〜４ｍｍ等のシール部材５により防水処理を行うための必要最小限以上の位置に変位するのであれば挿通部６ａ１が等間隔の配置でなくても良い。
【００３０】
ホルダ６ｂは、図３に示すように、ホルダ６ａから伸びる各電線８が挿通して後方側に導出するための水平方向に幅広に開口された第２の挿通部６ｂ１が、ホルダ６ａの第１の挿通部６ａ１と同じピッチで等間隔に配置されて複数段に分けて配列されて設けられており、各電線８はこれらのホルダ６ｂの各挿通部６ｂ１を挿通することにより、挿通部６ａ１から挿通部６ｂ１までインナプレート２ａ１の端子収納室の端子８ａ毎に異なるピッチの位置から第二の所定のピッチで等間隔の位置に変位させたまま防水コネクタの後方側に電線８を導出するようになっている。
【００３１】
図４、図９は、ホルダ６ａ、ホルダ６ｂの構成を示す説明図である。ホルダ６ａ、ホルダ６ｂは、図４に示すように、水平方向に複数並べた各端子８ａに取り付けられた電線８を複数段に積層された各段階毎の間に介在して、水平方向に複数並べた電線８を挟むことにより保持して挿通部６ａ１、６ｂ１を形成する複数のホルダ中間部品６１と、上位置および下位置の電線８をホルダ中間部品６１の上側および下側から挟むことにより保持するホルダ上部部品６２およびホルダ下部部品６３とから構成されている。ホルダ中間部品６１、ホルダ上部部品６２、ホルダ下部部品６３が各電線８間に介在して互いに積層され、後述するように各ホルダ中間部品６１間、ホルダ中間部品６１およびホルダ上部部品６２間、ホルダ中間部品６１およびホルダ下部部品６３間に電線８を導入され、挿通する挿通部６ａ１、６ｂ１が形成されるようになっている。
【００３２】
ホルダ中間部品６１、ホルダ上部部品６２は、電線８を複数段に積層された各段階毎の間に介在して配置される。ホルダ上部部品６２は、上位置の電線８を上側から挟み込み、隣接するホルダ中間部品６１との間に挿通部６ａ１、６ｂ１が形成されるようになっている。これらのホルダ中間部品６１、ホルダ上部部品６２は、隣接する電線８間のピッチ、即ち、挿通部６ａ１、６ｂ１の水平方向の中心線間のピッチが、上述のように所定のピッチで等間隔となるように配置される。
【００３３】
ホルダ下部部品６３は、水平方向に複数並べた端子８ａ全体の長さに相当する板状部６３ａと、この板状部６３ａの両端から上方に立設して各ホルダ中間部品６１、ホルダ下部部品６２を支持する連結部６３ｂとから構成されている。板状部６３ａは、下位置の電線８を下側から保持し、隣接するホルダ中間部品６１との間に挿通部６ａ１、６ｂ１が形成されるようになっている。連結部６３ｂは、ホルダ中間部品６１、ホルダ上部部品６２が挿通部６ａ１、６ｂ１が配置される水平方向の中心線間のピッチが、上述のように所定のピッチで等間隔となるように配置された状態で、これらのホルダ中間部品６１、ホルダ上部部品６２の両端を支持して固定する。
【００３４】
ホルダ中間部品６１、ホルダ上部部品６２、ホルダ下部部品６３が図８、図９に示すように、各電線８間に介在して互いに積層されて組み合わされて一体となってホルダ６ａ、ホルダ６ｂが構成される。連結部６３ｂの内側側面、ホルダ上部部品６２またはホルダ中間部品６１の下面、ホルダ下部部品６３またはホルダ中間部品６１の上面により水平方向に幅広に開口された挿通部６ａ１、６ｂ１が形成される。水平方向に複数並べた電線８が挿通部６ａ１、６ｂ１に導入されて挿通されるようになっている。
【００３５】
シール部材５は、例えば弾性を有するエラストマー部材等で構成され、挿通部６ｂ１に挿通する電線８のそれぞれに対してシールするためのシール用挿通孔５１を有して、シール用挿通孔５１を挿通する電線８との間を水密に保つようになっている。
【００３６】
図５は、シール部材５の構成を示す説明図である。このシール部材５は、図５に示すように、挿通部６ｂ１を挿通する複数段に積層された各電線８間に介在してこれらの電線８を挟むことによりシールするシール中間部品５２と、上位置および下位置の電線８をシール中間部品５２上側および下側から挟むことによりシールするシール上部部品５３およびシール下部部品５４とから構成されている。シール中間部品５２、シール上部部品５３、シール下部部品５４が各電線８間に介在して互いに積層され、後述するように互いの間に電線８を挿通するシール用挿通孔５１を形成するようになっている。
【００３７】
シール中間部品５２は、水平方向に複数並べた端子８ａ全体の長さに相当するように形成されており、その上側および下側表面には、水平方向に複数並べられた各電線８の位置に対応して電線８を載置するための複数の半円弧状の凹部５５が設けられている。これらの複数の半円弧状の凹部５５は、電線８の断面外径と一致するまたは若干小さい内径の半円弧状に成形された凹部であり、上下に隣接するシール中間部品５２、または、シール上部部品５３、シール下部部品５４に設けられた凹部５５と相互に組み合わせることにより、シール用挿通孔５１が形成されるようになっている。また、各シール中間部品５２の厚さは、挿通部６ａ１、６ｂ１が配置される所定のピッチに合致するように成形されている。
【００３８】
シール上部部品５３、シール下部部品５４は、水平方向に複数並べた端子８ａ全体の長さに相当するように形成されており、シール上部部品５３の下側およびシール下部部品５４の上側表面には、水平方向に複数並べられた各電線８の位置に対応して電線８を載置するための複数の半円弧状の凹部５５が設けられている。これらの複数の半円弧状の凹部５５は、シール上部部品５３の下側、シール下部部品５４の上側に隣接するシール中間部品５２に設けられた凹部５５と相互に組み合わせることにより、シール用挿通孔５１が形成されるようになっている。
【００３９】
また、ワイヤシール４の上面および下面には、ワイヤシール嵌合部２の内側上面および下面に設けられた凹部である係合孔１２と係合して、ワイヤシール４をワイヤシール嵌合部２に嵌め込んで固定するためのワイヤシール４の上面および下面から突出した係合孔１２の凹形状に対応した凸部である係合部４１等が設けられている。
【００４０】
シール部材５は、各電線８間に、凹部５５に電線８が載置するようにして各シール中間部品５２を介在させ、これらのシール中間部品５２を上下から挟むようにシール上部部品５３、シール下部部品５４を積層して全体を組み合わせると、全体の外周形状が、収納部１のワイヤシール嵌合部２の内周形状よりも若干大きくなっている。シール部材５の外周を内側に撓ませてワイヤシール嵌合部２に圧入させワイヤシール４を嵌め込むと、シール用挿通孔５１部分で一定の接触圧で各電線８をシールし、電線８との間を水密に保つようになっている。
【００４１】
続いて、本実施の形態における防水コネクタ１０が以上のような構成を有することにより奏される効果について説明する。インナプレート７の端子収納室内に特定の箇所に各端子８ａを積層させて固定し、各端子８ａに取り付けられた電線８を電線押さえ９により押さえられた状態でインナプレート７の入口部分を通す。そして、これらの各電線８をワイヤシール４にホルダ６ａから導入させて、シール部品５を介してホルダ６ｂから後方側に導出させる。
【００４２】
この状態でワイヤシール４をアウタハウジング１のワイヤシール嵌合部２に嵌め込んで一体構成とし、防水コネクタ１０を組み立てる。このとき、アウタハウジング１から導出された電線８は、図２に示すように、隣接する電線８間のピッチがａやｂ等のさまざまな数値となり一定数値ではなく等間隔ではない状態となっており、ピッチがａ等のようにシール部材５等により防水処理を行うために必要な間隔が確保されていない。このため、このような隣接する電線８間の箇所では十分に防水処理を行うことができない状態となっているが、ワイヤシール４の後方側から導出される各電線８は、図３に示すように、ホルダ６ｂの挿通部６ｂ１を挿通する際に、隣接する電線８間のピッチが広がる、または、位置が変位することによって例えばｃの数値として一定数値となり等間隔の調整用のピッチとなるため、隣接する電線８間でのシール部材５の部材が介入するための間隔が確保され、シール部材５による防水処理を効果的に行うことが可能となる。
【００４３】
従来技術の防水コネクタにおいては、隣接する電線間のピッチがばらついていることにより、各電線に対して均等にシールすることができず、ピッチが狭い箇所では十分な防水処理を行うことができなかったが、本実施の形態における防水コネクタ１０により、各電線８に対して、シール部材５がシールして防水処理を行うための十分な厚さやスペースを確保され、全体に均等かつ効果的に防水処理を行うことが可能となる。
【００４４】
なお、電線８が、ホルダ６ｂの挿通部６ｂ１を挿通する際に、インナプレート７の内側底面上から位置が変位することによってピッチが調整され屈曲すること等があっても、電線押さえ９により押さえられて、電線８の内側底面上の位置からの周囲方向へ変位量が所定量に制限されている。このため、電線８が端子８ａから抜けて外れること等のトラブルの発生が防止される。
【００４５】
（他の実施の形態）
上述の実施の形態においては、シール部材５がホルダ６ａおよびホルダ６ｂ間に一体に設けられていたが、これに限られず、ホルダ６ａ、シール部材５、ホルダ６ｂを別体としても良い。このような構成によっても全体に均等かつ効果的に防水処理を行うことが可能となる。
【００４６】
ホルダ６ａの挿通部６ａ１は、各ホルダ中間部品６１の上下面、ホルダ上部部品６２の下面、ホルダ下部部品６３の上面がワイヤシール４の前方側から後方側方向に沿って直線的な平滑面が形成されて、水平方向に挿通した開口部が構成されているのではなく、インナハウジング２ａ１から導出された各電線８の位置に対応した前方側の入口開口部の位置と、等間隔の所定のピッチとなる後方側の出口開口部の位置とを連結するように形成した傾斜面が形成された開口部であっても良い。このような構成により、電線８が挿通部６ａ１に挿通する際に屈曲して電線８の芯部分や被覆部分に負荷が生じて破損する等のトラブルを防止できる。
【００４７】
ホルダ６ａおよびホルダ６ｂは、各ホルダ中間部品６１、ホルダ上部部品６２に分割され、使用時には組み合わせて用いていたが、これらは分割せずに一体的に成形されており、等しい間隔の所定のピッチで電線８が導入され挿通する箇所に挿通部６ａ１、６ｂ１を開口させて設ける、または、等間隔の所定のピッチで電線８が導入され挿通するそれぞれの箇所に対応して電線８のそれぞれを通す挿通孔を開けることとしても良い。
【図面の簡単な説明】
【００４８】
【図１】本実施の形態における防水コネクタの全体構成を示す説明図である。
【図２】本実施の形態における防水コネクタのアウタハウジングの構成を示す説明図である。
【図３】本実施の形態における防水コネクタのワイヤシールの構成を示す説明図である。
【図４】本実施の形態における防水コネクタのホルダの構成を示す説明図である。
【図５】本実施の形態における防水コネクタのシール部品の構成を示す説明図である。
【図６】従来技術における防水コネクタの構成を示す説明図である。
【図７】本実施の形態における防水コネクタの全体構成を示す斜視図である。
【図８】本実施の形態における防水コネクタの端子収納部の構成を示す斜視図である。
【図９】本実施の形態における防水コネクタのホルダの構成を示す斜視図である。
【符号の説明】
【００４９】
１  アウタハウジング
１ａ  接続孔
２ａ  端子収納部
２ａ１  インナハウジング
２ｂ  ワイヤシール嵌合部
４  ワイヤシール
５  シール部材
６ａ  ホルダ
６ａ１  挿通部
６ｂ  ホルダ
６ｂ１  挿通部
７  インナプレート
８  電線
８ａ  端子
９  電線押さえ
１０  防水コネクタ
１１  壁面
１２  係合孔
４１  係合部
５１  シール用挿通孔
５２  シール中間部品
５３  シール上部部品
５４  シール下部部品
５５  凹部
６１  ホルダ中間部品
６２  ホルダ上部部品
６３  ホルダ下部部品
６３ａ  板状部
６３ｂ  連結部
【図１】
2007324082.tif 000003
【図２】
2007324082.tif 000004
【図３】
2007324082.tif 000005
【図４】
2007324082.tif 000006
【図５】
2007324082.tif 000007
【図６】
2007324082.tif 000008
【図７】
2007324082.tif 000009
【図８】
2007324082.tif 000010
【図９】
2007324082.tif 000011